(57)【要約】【課題】金属性固定具の貫通による水道用架橋ポリエチレン二層管からの漏水の可能性の有無を容易かつ確実に確認し得るようにすることにある。【解決手段】非架橋ポリエチレン製の外層３と、架橋ポリエチレン製の内層２とを具える水道用架橋ポリエチレン二層管１と、前記水道用架橋ポリエチレン二層管１の端部に装着された導電性口金４と、を具える漏水検出用架橋ポリエチレン二層管であって、前記外層３が、導電性材料を含む非架橋ポリエチレンからなる導電性または半導電性のものであり、前記導電性口金４が、前記外層３に対する電気的絶縁状態で前記水道用架橋ポリエチレン二層管１に装着されてなる、漏水検出用架橋ポリエチレン二層管である。【選択図】図１
2007051754.tif 000002
【特許請求の範囲】
【請求項１】
非架橋ポリエチレン製の外層と架橋ポリエチレン製の内層とを具える水道用架橋ポリエチレン二層管と、
前記水道用架橋ポリエチレン二層管の端部に装着された導電性口金と、
を具える漏水検出用架橋ポリエチレン二層管であって、
前記外層が、導電性材料を含む非架橋ポリエチレンからなる導電性または半導電性のものであり、
前記導電性口金が、前記外層に対する電気的絶縁状態で前記水道用架橋ポリエチレン二層管に装着されてなる、漏水検出用架橋ポリエチレン二層管。
【請求項２】
前記導電性口金は、前記水道用架橋ポリエチレン二層管の端部の内層内に挿入されるとともに、前記水道用架橋ポリエチレン二層管の端部の外層との間に絶縁体を介装されることを特徴とする、請求項１記載の漏水検出用架橋ポリエチレン二層管。
【請求項３】
請求項１または２記載の漏水検出用架橋ポリエチレン二層管に用いられる水道用架橋ポリエチレン二層管であって、
導電性材料を含む非架橋ポリエチレン製の導電性または半導電性の外層と、
架橋ポリエチレン製の内層と、を具えてなる、水道用架橋ポリエチレン二層管。
【請求項４】
前記外層の体積抵抗率は１０８Ωｃｍ以下であることを特徴とする、請求項３記載の水道用架橋ポリエチレン二層管。
【請求項５】
前記外層は導電性カーボンブラックを含むことを特徴とする、請求項３または４記載の水道用架橋ポリエチレン二層管。
【請求項６】
前記外層は金属系の微粒子または微粉末を含むことを特徴とする、請求項３または４記載の水道用架橋ポリエチレン二層管。
【請求項７】
前記外層はカーボン繊維または金属繊維の微粉末を含むことを特徴とする、請求項３または４記載の水道用架橋ポリエチレン二層管。
【請求項８】
前記外層は非金属系無機導電性フィラーを含むことを特徴とする、請求項３または４記載の水道用架橋ポリエチレン二層管。
【発明の詳細な説明】
【技術分野】
【０００１】
この発明は、マンションの床下等に配置される水道用の架橋ポリエチレン二層管に関し、特には、床板等を固定するための釘や木ネジ等の金属性固定具がその架橋ポリエチレン二層管に貫通していて漏水の可能性がある場合を検出するための漏水検出用架橋ポリエチレン二層管に関するものである。またこの発明は、その漏水検出用架橋ポリエチレン二層管に用いられる水道用架橋ポリエチレン二層管にも関するものである。
【背景技術】
【０００２】
従来は、マンションの床下等に配置される水道管は金属製であったため、床板等を固定するための釘や木ネジ等の金属製固定具がその水道管に貫通していて漏水の可能性があるということはなかった。
【０００３】
ところで近年、取り回しの容易さや重量の軽さ、値段の安さ等のため、また金属製水道管は金属さびの問題があるため、マンションの床下等に水道用架橋ポリエチレン管が配置されるようになってきており、かかる水道用架橋ポリエチレン管は、床板等を固定するための釘や木ネジ等の金属性固定具が貫通していて漏水の可能性がある場合がありうる。
【発明の開示】
【発明が解決しようとする課題】
【０００４】
しかしながら、床板等の施工後は水道用架橋ポリエチレン管はその床板等で覆われているため、釘や木ネジ等の金属性固定具が貫通していて漏水の可能性があるか否かは外見からは全く判断できない。
【０００５】
そしてもしも漏水することが、マンション等が完成して購入者へ引渡された後に判明すると、その漏水の生じた部屋の補修のみならず、漏水による下の部屋の損害も賠償する必要が生じ、数千万円の損害に繋がる可能性がある。
【課題を解決するための手段】
【０００６】
この発明は、上記課題を有利に解決することを目的とするものであり、この発明の漏水検出用架橋ポリエチレン二層管は、非架橋ポリエチレン製の外層と、架橋ポリエチレン製の内層とを具える水道用架橋ポリエチレン二層管と、前記水道用架橋ポリエチレン二層管の端部に装着された導電性口金と、を具える漏水検出用架橋ポリエチレン二層管であって、前記外層が、導電性材料を含む非架橋ポリエチレンからなる導電性または半導電性のものであり、前記導電性口金が、前記外層に対する電気的絶縁状態で前記水道用架橋ポリエチレン二層管に装着されてなることを特徴とするものである。
【０００７】
また、この発明の水道用架橋ポリエチレン二層管は、前記漏水検出用架橋ポリエチレン二層管に用いられるものであって、導電性材料を含む非架橋ポリエチレン製の導電性または半導電性の外層と、架橋ポリエチレン製の内層と、を具えてなるものである。
【発明の効果】
【０００８】
この発明の漏水検出用架橋ポリエチレン二層管にあっては、当該漏水検出用架橋ポリエチレン二層管を構成する水道用架橋ポリエチレン二層管の、導電性材料を含む非架橋ポリエチレンからなる導電性または半導電性の外層と、その水道用架橋ポリエチレン二層管の端部に装着された金属製等の導電性口金とが電気的絶縁状態にあるので、通常はその外層と導電性口金との間は電気的に導通しない。一方、その水道用架橋ポリエチレン二層管に釘や木ネジ等の金属性固定具が貫通していて、かつその水道用架橋ポリエチレン二層管の内部に水が入っていると、その水道用架橋ポリエチレン二層管の内部の水と、水道用架橋ポリエチレン二層管の外層に接触するとともにその水道用架橋ポリエチレン二層管の内層の内部まで貫通してその内部の水に接触した金属性固定具とを介して、導電性または半導電性の外層と導電性口金との間が電気的に導通するようになる。
【０００９】
従って、この発明の漏水検出用架橋ポリエチレン二層管によれば、床板等の施工後に当該漏水検出用架橋ポリエチレン二層管を構成する水道用架橋ポリエチレン二層管内に水を満たして、その架橋ポリエチレン二層管の端部の導電性口金とその架橋ポリエチレン二層管の外層との間の電気的導通を導通テスター等で調べるだけで、もしもその架橋ポリエチレン二層管に釘や木ネジ等の金属性固定具が貫通していて漏水の可能性があれば導通（いわゆる半導通を含む）するので、容易かつ確実に漏水の可能性の有無を確認し得て、架橋ポリエチレン二層管からの漏水による多大な損害の発生を未然に防止することができる。
【００１０】
なお、この発明の漏水検出用架橋ポリエチレン二層管においては、前記導電性口金は、前記水道用架橋ポリエチレン二層管の端部の内層内に挿入されるとともに、前記水道用架橋ポリエチレン二層管の端部の外層との間に、例えば絶縁ワッシャ等の絶縁体を介装されると好ましい。このようにすれば、簡易な構成で導電性口金を、水道用架橋ポリエチレン二層管の端部に装着するとともにその水道用架橋ポリエチレン二層管の端部の外層との間で電気的絶縁状態とすることができる。
【００１１】
一方、この発明の水道用架橋ポリエチレン二層管においては、前記外層の体積抵抗率は１０８Ωｃｍ以下であると好ましい。外層の体積抵抗率が１０８Ωｃｍ以下であれば上記のように漏水に伴って半導通状態となり、より好ましくは１０６Ωｃｍ以下であれば導通状態となり、これら半導通状態や導通状態は、導通テスター等の比較的簡易な検出器で容易に検出することができる。
【００１２】
また、この発明の水道用架橋ポリエチレン二層管においては、前記外層は導電性カーボンブラックを含むものでも良く、または前記外層は金属系の微粒子または微粉末を含むものでも良い。さらには前記外層はカーボン繊維または金属繊維の微粉末を含むものでも良く、または前記外層は非金属系無機導電性フィラーを含むものでも良い。これらの導電性材料を含む非架橋ポリエチレンの外層は、容易に導電性または半導電性のものとすることができる。
【００１３】
さらに、この発明の水道用架橋ポリエチレン二層管においては、前記内層は、例えば水分との接触により架橋する水架橋型ポリエチレンで形成しても良い。
【発明を実施するための最良の形態】
【００１４】
以下、本発明の実施の形態を実施例によって、図面に基づき詳細に説明する。ここに、図１（ａ），（ｂ）は、この発明の漏水検出用架橋ポリエチレン二層管の一実施例を示す縦断面図および横断面図であり、図中符号１は、その実施例の漏水検出用架橋ポリエチレン二層管を構成するこの発明の水道用架橋ポリエチレン二層管の一実施例としての、マンションの床下等に配置する水道用架橋ポリエチレン二層管、２はその水道用架橋ポリエチレン二層管１の内層、３はその水道用架橋ポリエチレン二層管１の外層、そして４はその水道用架橋ポリエチレン二層管１の一端部に装着された、上記実施例の漏水検出用架橋ポリエチレン二層管を構成する導電性口金としての銅合金製の口金をそれぞれ示す。
【００１５】
この実施例の漏水検出用架橋ポリエチレン二層管は、図１（ａ），（ｂ）に示すように、上記実施例の水道用架橋ポリエチレン二層管１と、その少なくとも一端部に装着された口金２とを具えてなるもので、ここにおける水道用架橋ポリエチレン二層管１の内層２は、例えば活性シラン基を分子内に持ったポリエチレンを用いて水分と接触させることにより架橋させた水架橋ポリエチレン等の架橋ポリエチレンからなり、このようなポリエチレンとしては例えば三菱化学株式会社製の商品名「リンクロン」や三井化学株式会社製の商品名「エルメックス」等を用いることができる。
【００１６】
またここにおける水道用架橋ポリエチレン二層管１の外層２は、導電性材料を含む非架橋ポリエチレンからなる導電性または半導電性のものであり、その非架橋ポリエチレンには、体積抵抗率が高くても１０８ｃｍ以下、より好ましくは１０６Ωｃｍ以下となるような割合で導電性材料が含まれている。かかる導電性材料としては、例えばライオン株式会社製の商品名「ケッチェンブラック」や東海カーボン株式会社製の商品名「＃５５００」等の導電性カーボンブラック、または例えば福田金属箔粉工業株式会社製のＮｉ，Ｆｅ，Ｃｕ等の球状粉や粒状粉等の金属系の微粒子または微粉末、あるいは大阪ガスケミカル株式会社製の炭素繊維等のカーボン繊維または金属繊維の微粉末、または大塚化学株式会社製の商品名「デントールWK」等の非金属系無機導電性フィラーを単独あるいは適宜混合して用いることができる。
【００１７】
この実施例の漏水検出用架橋ポリエチレン二層管では、あらかじめ金属環５を挿通した上記実施例の水道用架橋ポリエチレン二層管１の端部の内層２内に、例えばベークライト等からなる絶縁ワッシャ６をあらかじめ挿通した口金４を圧入し、その口金４上に位置するように金属環５を外層２上でずらして、水道用架橋ポリエチレン二層管１の端部の外層２に金属環５を密接させるとともに、その金属環５で水道用架橋ポリエチレン二層管１の端部を締め付けて口金２に対し抜け止めし、その金属環５にリード線７を繋いでいる。
【００１８】
かかる実施例の漏水検出用架橋ポリエチレン二層管にあっては、水道用架橋ポリエチレン二層管１の外層３が口金４に対し絶縁ワッシャ６で電気的に絶縁されているので、通常はその外層３と口金４との間は電気的に導通しない。一方、図１（ａ）に示すように、その水道用架橋ポリエチレン二層管１に釘や木ネジ等の金属性固定具８が貫通していて、かつその水道用架橋ポリエチレン二層管１の内層２の内部に水Ｗが入っていると、その水道用架橋ポリエチレン二層管１の内部の水Ｗと、水道用架橋ポリエチレン二層管１の外層３に接触するとともに水道用架橋ポリエチレン二層管１の内層２の内部まで貫通してその内部の水Ｗに接触した金属製固定具８とを介して、外層３と口金４との間が電気的に導通（あるいは半導通）するようになる。
【００１９】
従って、この実施例の漏水検出用架橋ポリエチレン二層管およびそこに用いたこの実施例の水道用架橋ポリエチレン二層管１によれば、床板等の施工後に水道用架橋ポリエチレン二層管１内に水Ｗを満たして、その水道用架橋ポリエチレン二層管１の端部の口金４と、水道用架橋ポリエチレン二層管１の外層３に密接させた金属環５との間の電気的導通をリード線７を介して導通テスター９等で調べるだけで、もしもその水道用架橋ポリエチレン二層管１に釘や木ネジ等の金属性固定具８が貫通していて漏水の可能性があれば導通（あるいは半導通）するので、容易かつ確実に漏水の可能性の有無を確認し得て、水道用架橋ポリエチレン二層管１からの漏水による多大な損害の発生を未然に防止することができる。
【００２０】
しかもこの実施例の漏水検出用架橋ポリエチレン二層管によれば、口金４は、水道用架橋ポリエチレン二層管１の端部の内層内に挿入されるとともに、その水道用架橋ポリエチレン二層管１の端部の外層との間に絶縁ワッシャ６を介装されるので、簡易な構成で口金４を、水道用架橋ポリエチレン二層管１の端部に装着するとともにその水道用架橋ポリエチレン二層管１の端部の外層との間で電気的絶縁状態とすることができる。
【００２１】
以上、図示例に基づき説明したが、この発明は上述の例に限定されるものでなく、特許請求の範囲の記載範囲内で適宜変更することができ、例えば、導電性口金は、プラスチックで形成するとともにその表面を金属膜で覆って導電性を持たせても良く、また導電性口金と水道用架橋ポリエチレン二層管の端部の外層との間の電気的絶縁状態は、その端部の端縁付近の外層を環状に除去することで得ても良い。
【産業上の利用可能性】
【００２２】
かくしてこの発明の漏水検出用架橋ポリエチレン二層管によれば、容易かつ確実に漏水の可能性の有無を確認し得て、水道用架橋ポリエチレン二層管からの漏水による多大な損害の発生を未然に防止することができる。
【図面の簡単な説明】
【００２３】
【図１】（ａ），（ｂ）は、この発明の漏水検出用架橋ポリエチレン二層管の一実施例およびそこに用いられるこの発明の水道用架橋ポリエチレン二層管の一実施例を示す縦断面図および横断面図である。
【符号の説明】
【００２４】
１  水道用架橋ポリエチレン二層管
２  内層
３  外層
４  口金
５  金属環
６  絶縁ワッシャ
７  リード線
８  金属性固定具
９  導通テスター
Ｗ  水
【図１】
2007051754.tif 000003